(57)【要約】【課題】  簡易な構成でありながら、前板と後板を確実に固定することが可能な展示用パネルを提供することを目的とする。【解決手段】  展示用パネルは、透明プラスチック板よりなる前板１１と、前板１１の後ろ側表面に付設された４個の円形の鉄板２１と、その前側表面に４個の凹部が形成された透明プラスチック板よりなる後板１２と、後板１２に形成された凹部内に収納された４個の永久磁石２２とを備える。鉄板２１は、その一部が前板１１に形成された凹部内に収納され、残部が前板１１の後側表面から距離Ｄ１だけ突出する状態で前板１１に付設されている。また、永久磁石２２は、その表面が後板１２の前側表面より距離Ｄ２沈んだ状態で、後板１２に形成された凹部内に収納されている。そして、距離Ｄ１と距離Ｄ２とは、略同一に設定されている。【選択図】        図２
2006034480.tif 000002
【特許請求の範囲】
【請求項１】
その後側表面に複数の凹部が形成された透光性の前板と、
その一部が前記前板に形成された凹部内に収納され、残部が前記前板の後側表面から突出する状態で、前記前板に付設された複数の第１の磁性体と、
その前側表面における前記前板に形成された凹部と対応する位置に、前記前板に形成された凹部と同数の凹部が形成された後板と、
その表面が前記後板の前側表面より前記凹部内に入り込んだ状態で、前記後板に形成された凹部内に収納された、前記第１の磁性体と同数の第２の磁性体とを備え、
前記第１の磁性体と前記第２の磁性体の少なくとも一方を永久磁石としたことを特徴とする展示用パネル。
【請求項２】
その後側表面に複数の凹部が形成された透光性の前板と、
その一部が前記前板に形成された凹部内に収納され、残部が前記前板の後側表面から突出する状態で、前記前板に付設された複数の磁性体と、
その前側表面における前記前板に形成された凹部と対応する位置に、前記前板に形成された凹部と同数の凹部が形成された後板と、
その表面が前記後板の前側表面より前記凹部内に入り込んだ状態で、前記後板に形成された凹部内に収納された、前記磁性体と同数の永久磁石と、
を備えたことを特徴とする展示用パネル。
【請求項３】
前記磁性体は磁石である請求項２記載の展示要パネル。
【請求項４】
前記磁性体は鉄である請求項２記載の展示要パネル。
【請求項５】
前記前板と後板とは各辺が開放された矩形状を成す透明プラスチック板から構成され、前記磁性体または前記永久磁石は各透明プラスチック板の四隅付近に配設された請求項２乃至請求項４のいずれかに記載の展示要パネル。
【請求項６】
前記前板の前側表面における各凹部に対応する位置には、前記前板における各凹部を目隠しするための印刷が施された請求項２乃至請求項４のいずれかに記載の展示要パネル。
【請求項７】
前記後板には、前記前板および前記後板を立設するための脚部が装着可能な孔部、または、前記前板および前記後板を釣支するための索体を係止可能な孔部が形成された請求項１乃至請求項４のいずれかに記載の展示要パネル。
【発明の詳細な説明】
【技術分野】
【０００１】
この発明は、写真、絵画、ポスター等のシート状の展示物を展示するための展示要パネルに関する。
【背景技術】
【０００２】
従来、このような展示用パネルとしては、額縁を構成する枠体の中央部にシート状の展示物を挟持して保護する透光板を配設したものが使用されている。そして、展示物を保護するための透光板は、額縁に対してねじ等により着脱可能な構成となっており、展示物を取り替えるときには、このねじ等を取り外すことにより透光板を額縁から離脱させるよう構成されている。
【０００３】
また、特許文献１には、額縁本体の中央部に透光板を配設した額縁において、額縁本体と透光板の互いに対応する位置に永久磁石を埋め込むことにより、透光板を額縁本体に対して容易に着脱しうるようにした額縁が提案されている。
【特許文献１】登録実用新案第３０５１３９６号公報
【発明の開示】
【発明が解決しようとする課題】
【０００４】
特許文献１に記載されたような額縁本体の中央部に透光板を配設した額縁は、その制作コストが高額となり、また、その重量も大きなものとなる。このため、額縁本体を構成する枠体を省略し、透光性の前板と後板との間にシート状の展示物を挟持する構成の展示用パネルを使用することが考えられる。
【０００５】
ところで、このような構成を有する展示用パネルに対し、特許文献１に記載されたように、前板と後板に永久磁石を埋め込んだ場合には、前板と後板とを容易に着脱することが可能となる。
【０００６】
しかしながら、永久磁石による吸着力は、面に対して垂直な方向の引き剥がしに対しては極めて強いが、面に対して平行な方向に付与された応力には極めて弱いという特性を有する。このため、透光性の前板と後板との間にシート状の展示物を挟持する構成の展示用パネルにおいて、前板と後板とを単に磁石による吸着力で結合したとしても、前板と後板とが位置ずれをおこすという問題が生ずる。このような問題は、展示物のサイズにあわせて前板と後板のサイズが大きくなった場合に特に問題となる。
【０００７】
この発明は上記課題を解決するためになされたものであり、簡易な構成でありながら、前板と後板を確実に固定することが可能な展示用パネルを提供することを目的とする。
【課題を解決するための手段】
【０００８】
請求項１に記載の発明は、その後側表面に複数の凹部が形成された透光性の前板と、その一部が前記前板に形成された凹部内に収納され、残部が前記前板の後側表面から突出する状態で、前記前板に付設された複数の第１の磁性体と、その前側表面における前記前板に形成された凹部と対応する位置に、前記前板に形成された凹部と同数の凹部が形成された後板と、その表面が前記後板の前側表面より前記凹部内に入り込んだ状態で、前記後板に形成された凹部内に収納された、前記第１の磁性体と同数の第２の磁性体とを備え、前記第１の磁性体と前記第２の磁性体の少なくとも一方を永久磁石としたことを特徴とする。
【０００９】
請求項２に記載の発明は、その後側表面に複数の凹部が形成された透光性の前板と、その一部が前記前板に形成された凹部内に収納され、残部が前記前板の後側表面から突出する状態で、前記前板に付設された複数の磁性体と、その前側表面における前記前板に形成された凹部と対応する位置に、前記前板に形成された凹部と同数の凹部が形成された後板と、その表面が前記後板の前側表面より前記凹部内に入り込んだ状態で、前記後板に形成された凹部内に収納された、前記磁性体と同数の永久磁石とを備えたことを特徴とする。
【００１０】
請求項３に記載の発明は、請求項２に記載の発明において、前記磁性体が磁石である。
【００１１】
請求項４に記載の発明は、請求項２に記載の発明において、前記磁性体が鉄である。
【００１２】
請求項５に記載の発明は、請求項２乃至請求項４のいずれかに記載の発明において、前記前板と後板とは各辺が開放された矩形状を成す透明プラスチック板から構成され、前記磁性体または前記永久磁石は各透明プラスチック板の四隅付近に配設されている。
【００１３】
請求項６に記載の発明は、請求項２乃至請求項４のいずれかに記載の発明において、前記前板の前側表面における各凹部に対応する位置には、前記前板における各凹部を目隠しするための印刷が施されている。
【００１４】
請求項７に記載の発明は、請求項１乃至請求項４のいずれかに記載の発明において、前記後板には、前記前板および前記後板を立設するための脚部が装着可能な孔部、または、前記前板および前記後板を釣支するための索体を係止可能な孔部が形成されている。
【発明の効果】
【００１５】
請求項１に記載の発明によれば、前板と後板によりシート状の展示物を挟持して展示することができることから、その構成を簡易なものとすることができる。また、前板の後側表面から突出した第１の磁性体の一部が後板に形成された凹部内に進入した状態で、前板と後板とが結合することから、前板と後板を確実に固定することが可能となる。
【００１６】
請求項２乃至請求項５に記載の発明によれば、前板と後板によりシート状の展示物を挟持して展示することができることから、その構成を簡易なものとすることができる。また、前板の後側表面から突出した第１の磁性体の一部が後板に形成された凹部内に進入した状態で、前板と後板とが結合することから、前板と後板を確実に固定することが可能となる。さらに、後板の凹部内に収納された永久磁石の作用により、前板と後板とにより展示物を挟持した状態で、展示用パネル全体を金属製の壁面に貼着することが可能となる。
【００１７】
請求項６に記載の発明によれば、展示用パネルのデザインを良好なものとすることが可能となる。
【００１８】
請求項７に記載の発明によれば、展示用パネルを立設し、あるいは、釣支することが可能となる。
【発明を実施するための最良の形態】
【００１９】
以下、この発明の実施の形態を図面に基づいて説明する。図１はこの発明に係る展示用パネルの斜視図であり、図２はこの発明に係る展示用パネルを分解して示す説明図である。また、図３は、前板１１および後板１２における各凹部付近の断面図である。
【００２０】
なお、この明細書においては、説明の便宜上、前板１１と後板１２とが結合した状態において、展示用パネルにおける前板１１側を前側と、また、後板１２側を後側と表現する。
【００２１】
この展示用パネルは、その厚みが例えば３ｍｍ程度の透明プラスチック板よりなる前板１１と、前板１１の後ろ側表面に付設された４個の円形の鉄板２１と、その前側表面に４個の凹部が形成されたその厚みが例えば３ｍｍ程度の透明プラスチック板よりなる後板１２と、後板１２に形成された凹部内に収納された、平面視において円形の４個の永久磁石２２とを備える。
【００２２】
図３に示すように、鉄板２１は、その一部が前板１１に形成された凹部内に収納され、残部が前板１１の後側表面から距離Ｄ１だけ突出する状態で前板１１に付設されている。また、永久磁石２２は、その表面が後板１２の前側表面より距離Ｄ２だけ沈んだ状態で、後板１２に形成された凹部内に収納されている。そして、距離Ｄ１と距離Ｄ２とは、略同一に設定されており、前板１１における凹部と後板１２における凹部とは、互いに対向する位置に形成されている。また、前板１１と後板１２とに形成された凹部の形状や、鉄板２１および永久磁石２２の形状は略同一となっている。このため、鉄板２１と永久磁石２２とが当接したときには、前板１１の後ろ側表面と後板１２の前側表面とが当接し、前板１１の後ろ側表面と後板１２の前側表面との間に展示物を挟持することが可能となる。
【００２３】
図１および図３に示すように、前板１１の前側表面における各凹部に対応する位置（すなわち、各鉄板に対応する位置）には、前板における各凹部および各鉄板２１を目隠しするための印刷２３が施されている。なお、図３に示すように、後板１２における永久磁石２２の後ろ側の厚みは、例えば、１．５〜２．５ｍｍ程度の小さな値に設定されている。
【００２４】
図４は前板１１および後板１２における各孔部２４付近の断面図であり、図５は前板１１および後板１２における各孔部２５付近の断面図である。
【００２５】
図２および図４に示すように、後板１２には、紐等の索体により展示用パネル全体を釣支するための孔部２４が形成されている。この孔部２４は、前板１１と後板１２とが結合した状態において索体通過を許容する形状に形成されており、この孔部２４を利用して索体と後板１２とを係合させることにより、索体により展示用パネル全体を釣支することが可能となる。
【００２６】
また、図２および図４に示すように、後板１２には、前板１１と後板１２とが結合した状態で、これらを立設するための脚部３２が装着可能な孔部２５が形成されている。すなわち、展示用パネルを卓上等で立設させる場合には、その内部に雌ネジ部３３（図２参照）が形成された脚部３２とねじ３１とを、後板１２に形成された孔部２５を介して螺合させる。これにより、図１に示すように、展示用パネルを脚部により卓上等に立設させることが可能となる。
【００２７】
このような構成を有する展示用パネルにおいては、前板１１の後ろ側表面と後板１２の前側表面との間に写真、絵画、ポスター等のシート状の展示物を配置した状態で、前板１１の後ろ側表面と後板１２の前側表面とを当接させる。この状態においては、鉄板２１と永久磁石２２とが当接する。また、鉄板２１における前板１１の後側表面から突出した領域は、後板１２に形成された凹部内に収納される。このため、展示物のサイズが例えばＡ２サイズ等の大型のものとなり、前板１１と後板１２のサイズが大きくなった場合においても、前板１１と後板１２とが位置ずれをおこすという問題の発生を確実に防止することが可能となる。
【００２８】
また、この展示用パネルにおいては、前板１１と後板１２とにより展示物を挟持した状態において、紐等の索体により展示用パネル全体を釣支したり、脚部３２を装着して展示用パネルを立設させることができるのみならず、前板１１と後板１２とにより展示物を挟持した状態において、後板１２内に収納された永久磁石２２の作用により、展示用パネル全体を金属製の壁面に貼着することが可能となる。このため、展示物の展示作用を多様化させることが可能となる。
【００２９】
なお、上述した実施形態においては、前板１１と後板１２とを透明プラスチック板から構成しているが、後板１２としては不透明な材質のものを採用してもよい。
【００３０】
また、上述した実施形態においては、前板１１に磁性体としての鉄板２１を配設しているが、この鉄板２１に変えて永久磁石２２と吸着可能な磁性体としての永久磁石を使用してもよい。
【００３１】
また、前板１１に配設した鉄板２１のかわりに永久磁石を配設し、後板１２に配設した永久磁石２２のかわりに鉄板を配設することも可能である。但し、この場合においては、比較的強力な永久磁石を使用しない限り、展示用パネル全体を金属製の壁面に貼着することが困難となる。
【図面の簡単な説明】
【００３２】
【図１】この発明に係る展示用パネルの斜視図である。
【図２】この発明に係る展示用パネルを分解して示す説明図である。
【図３】前板１１および後板１２における各凹部付近の断面図である。
【図４】前板１１および後板１２における各孔部２４付近の断面図である。
【図５】前板１１および後板１２における各孔部２５付近の断面図である。
【符号の説明】
【００３３】
１１    前板
１２    後板
２１    鉄板
２２    永久磁石
２３    印刷
２４    孔部
２５    孔部
３１    ねじ
３２    脚部
Ｐ      展示物
【図１】
2006034480.tif 000003
【図２】
2006034480.tif 000004
【図３】
2006034480.tif 000005
【図４】
2006034480.tif 000006
【図５】
2006034480.tif 000007